(57)【要約】 【課題】  原稿によりシェーディングデータを算出する場合、薄紙など白基準として相応しくない原稿でシェーディングデータ生成が実施されてしまった場合、正常なシェーディングデータが取得できないためムラのある画像が出力されてしまう可能性がある。【解決手段】  シェーディングデータ生成の際に、薄紙などの原稿を検出し、薄紙原稿などの場合、重送搬送させシェーディングデータ取得することで使用する原稿の種類にとらわれない正確なシェーディング補正を行う事が可能となる。【選択図】  図３
2018152698.tif 000002
【特許請求の範囲】
【請求項１】
原稿を搬送する原稿搬送手段（１０５）と、前記搬送される原稿を読み取る原稿読み取り手段（１０６）と、原稿を積載する原稿積載手段と（１０１）、
前記原稿積載手段に積載された原稿を分離搬送する原稿分離手段（１２２）と、
前記原稿分離手段（１２２）は、原稿の上部で回転搬送する第一原稿分離ローラー（１２２ａ）と、原稿の下部で回転搬送する第二原稿分離ローラー（１２２ｂ）と、
前記第二原稿分離ローラーを制御する第二原稿分離ローラー制御手段と（１１１）、前記原稿分離手段にて分離された原稿の種類を判別する原稿判別手段と（１１２）、
前記原稿搬送部（１０５）から搬送される原稿を前記原稿読み取り部（１０６）にて読み取りシェーディングデータを生成するシェーディングデータ生成手段（４０１、４０５）と、前記シェーディングデータ生成手段で生成されたシェーディングデータを保持する保持手段（４０２）を有する原稿読み取り装置において、
前記原稿搬送部（１０５）から搬送される原稿を読み取り前記シェーディングデータ生成する際に、前記原稿判別手段によって判別された原稿に応じて、前記原稿分離制御手段にて原稿を分離せず重送させて搬送する事を特徴とする原稿読み取り装置。
【発明の詳細な説明】
【技術分野】
【０００１】
本発明は、原稿に記録された画像情報を読み取る原稿読み取り装置の技術に関する。
【背景技術】
【０００２】
ＣＣＤ等の撮像素子で構成された読み取り手段によって原稿の画像を読み取る原稿読み取り装置では、読み取り手段に含まれる光学系や発光素子や撮像素子の特性ばらつきなどによる読み取りムラを補正するため、一般的に白色の基準原稿や白色基準板等を読み取ってシェーディング補正が行われる。
【０００３】
また、複写機等に使用される原稿読み取り装置には、原稿搬送装置により原稿を１ページずつ原稿台ガラス上に搬送し、その搬送路に固定された露光装置により露光されて原稿の画像が読み取られる、いわゆる「流し読み」を行うものが知られている。
【０００４】
このような流し読みを行う原稿読み取り装置のシェーディング補正方法に関して、特許文献１では、原稿搬送経路中の原稿を読み取りシェーディング補正用の補正値を取得する技術が記載されている。
【先行技術文献】
【特許文献】
【０００５】
【特許文献１】特開２００４−２０７７９０号公報
【発明の概要】
【発明が解決しようとする課題】
【０００６】
しかしながら、上記従来技術において特許文献１では、使用者の手元にあった白紙などにより、シェーディングデータ生成が実施されてしまった場合、例えば白紙の濃度が不均一でとなる原稿であった場合、取得できる画像データが不均一であるため正常なシェーディングデータを取得出来ない可能性がある。濃度が不均一となる原稿としては薄紙などが考えられる。
【０００７】
薄紙など白基準として相応しくない原稿でシェーディングデータ生成が実施されてしまった場合、正常なシェーディングデータでないためムラのある画像などが出力されてしまう可能性がある。
【０００８】
本発明ではこの課題を解決するため、使用者の手元にある白紙が、不均一となりやすい原稿、たとえば薄紙などであっても正常なシェーディングデータ取得を行えるようにする。
【課題を解決するための手段】
【０００９】
前記課題を解決するため請求項１記載の発明では、
原稿を搬送する原稿搬送手段（１０５）と、前記搬送される原稿を読み取る原稿読み取り手段（１０６）と、原稿を積載する原稿積載手段と（１０１）、
前記原稿積載手段に積載された原稿を分離搬送する原稿分離手段（１２２）と、
前記原稿分離手段（１２２）は、原稿の上部で回転搬送する第一原稿分離ローラー（１２２ａ）と、原稿の下部で回転搬送する第二原稿分離ローラー（１２２ｂ）と、
前記第二原稿分離ローラーを制御する第二原稿分離ローラー制御手段と（１１１）、前記原稿分離手段にて分離された原稿の種類を判別する原稿判別手段と（１１２）、
前記原稿搬送部（１０５）から搬送される原稿を前記原稿読み取り部（１０６）にて読み取りシェーディングデータを生成するシェーディングデータ生成手段（４０１、４０５）と、前記シェーディングデータ生成手段で生成されたシェーディングデータを保持する保持手段（４０２）を有する原稿読み取り装置において、
前記原稿搬送部（１０５）から搬送される原稿を読み取り前記シェーディングデータ生成する際に、前記原稿判別手段によって判別された原稿に応じて、前記原稿分離制御手段にて原稿を分離せず重送させて搬送する事を特徴とする。
【発明の効果】
【００１０】
本発明では、シェーディングデータ生成時に使用する原稿について、使用する原稿の種類にとらわれない正確なシェーディング補正をする。
【００１１】
使用者の手元にある白紙が、不均一となりやすい原稿、たとえば薄紙などであっても正常なシェーディングデータの取得を行えるようにする。
【図面の簡単な説明】
【００１２】
【図１】原稿読み取り装置の構成図である。
【図２】原稿読み取り装置の制御構成図である。
【図３】原稿分離部の動作説明図である。
【図４】シェーディングデータ取得時の制御フローチャートを示す。
【発明を実施するための形態】
【００１３】
以下、本発明の実施の形態を詳細に説明する。
【００１４】
［実施例１］
図１に自動原稿搬送機構を搭載した原稿読み取り装置１２０の構成を示す、図1において、１０１は原稿トレイであり、原稿１０２を積載する。また不図示の原稿搬送モータによって原稿ピックローラー１２１および原稿分離ローラー１２２ａ、１２２ｂ、原稿搬送ローラー１２３、原稿排紙ローラー１２４を駆動する。原稿トレイ１０１上に載置された原稿１０２を給紙し原稿読み取りユニット１０６の原稿読み取り位置を通過する原稿１０２の画像情報を原稿読み取りユニット１０６にて読み取る、原稿読み取りユニット１０６での原稿１０２の画像読み取りが終了すると原稿１０２を排紙トレイ１０８に排出する。
【００１５】
原稿読み取りユニット１０６は、原稿読み取り位置の原稿面に対して光を照射するＬＥＤ光源２０１、２０２、を有する。ＣＩＳラインセンサ２０３は、レンズ２０４にて導かれた原稿１０２からの反射光を受光素子で光電変換し、入射光量に応じた電気信号を出力する。
【００１６】
上記構成にて原稿読み取り装置にて原稿１０２を搬送させながら、原稿読み取り位置で原稿１０２を読み取る。
【００１７】
図２は本発明の実施形態における原稿読み取り装置の制御構成を示す図である。ＣＰＵ４０１は原稿読み取り装置を制御するためのメインＣＰＵであり、ＬＥＤ光源２０１、２０２、ＣＩＳラインセンサ２０３、原稿搬送モータ１０５、分離ローラーソレノイド１１１、バックアップＲＡＭ４０２を制御し原稿画像を読み取る制御を行う。またＣＰＵ４０１は原稿厚検知センサ１１２と接続され原稿の厚さを検出出来る。（厚み検知方法については後述する）
次に画像信号の流れについて説明する。ＣＩＳラインセンサ２０３より読み取られた原稿の濃度に応じた電気信号は、Ａ／Ｄ変換回路４０３によりアナログ電気信号からデジタル画像信号に変換される。次に、シェーディング補正回路４０４によりＬＥＤ光源２０１、２０２の光量の不均一性の影響やＣＩＳラインセンサ２０３の画素感度の影響を補正し、シェーディング補正回路４０４により補正された画像信号が出力される。
【００１８】
また、バックアップＲＡＭ４０２はシェーディング補正用の白基準原稿読み取り値（以下シェーディングデータと呼ぶ）を記憶しておくための不揮発性のＲＡＭであり、ＣＰＵ４０１からリードライトし、ＣＰＵ４０１を介してシェーディング補正回路４０４との間でデータ送受信が出来るように構成されている。
【００１９】
計算用一時ＲＡＭ４０５はバックアップＲＡＭ４０２やシェーディング補正回路４０４からのデータを一時的に格納する際などにＣＰＵ４０１が使用するためのＲＡＭであり、ＣＰＵが制御する事でデータの送受信が出来るように構成されている。
【００２０】
次にシェーディング補正回路４０４で行うシェーディング補正の詳細について説明する。
シェーディング補正はＬＥＤ光源２０１，２０２の光量の不均一性の影響やＣＩＳラインセンサ２０３の画素毎の感度ばらつきの影響を補正するために以下の演算を行う。
シェーディング補正出力（ｎ）＝原稿読み取り値（ｎ）／シェーディングデータ（ｎ）×読み取り目標値
※ｎ＝ＣＩＳラインセンサ２０３画素位置を示す
※読み取り目標値＝白基準原稿を読み取ったときの読み取り値の目標値を設定する。
※シェーディングデータ＝白基準原稿を読み取った時のデータ。
【００２１】
上記シェーディング補正は、シェーディングデータを取得した際のデータをバックアップＲＡＭ４０２に記憶しておき、原稿を読み取る際にバックアップＲＡＭ４０２からのデータをＣＰＵ４０１からシェーディング補正回路４０４に設定する事により処理を行う。
【００２２】
上記演算を行う事によってＬＥＤ光源２０１，２０２の光量の不均一性の影響やＣＩＳラインセンサ２０３の画素毎の感度ばらつきの影響を補正した読み取りを行う事が可能となる。
【００２３】
またシェーディング補正回路４０４はＣＰＵ４０１からの指示によって、シェーディング補正を行わずに原稿の読み取りデータを補正せずにそのままＣＰＵ４０１へ転送するスルー転送モードを有する。後述するシェーディングデータ取得モード時にはスルー転送モードにて動作を行う。
【００２４】
次に原稿を使用しシェーディングデータ算出する際の原稿搬送について図３を用いて説明する。図３（a）は通常時の原稿搬送を示した図である。
通常搬送時は原稿搬送モータ１０５により、原稿ピックローラー１２１、および原稿分離ローラー１２２ａが駆動される。原稿積載トレイ１０１に積載された原稿１０２は、原稿ピックローラー１２１により原稿分離ローラー１２２ａに向かって搬送させる。搬送された原稿は原稿分離ローラー１２２ａにより下流側へ搬送される。この時、原稿分離ローラー１２２ｂは分離ローラーソレノイド１１１がＯＦＦ状態であり原稿分離ローラー１２２ｂは回転せず固定状態となる。そのため束状である原稿１０２を分離可能となり１枚ずつ原稿を搬送することが可能である。
【００２５】
この時、搬送された原稿は原稿厚検知センサ１１２の位置にて原稿の厚みを検出する。原稿厚検知センサ１１２は、透過型の光学センサ（図示せず）を含む。
原稿厚検知センサは、透過型の光学センサにおいて、原稿の光の透過率、すなわち、一方の面から照射した光量に対する他方の面に達する光量の比率をＣＰＵ４０１にて検出することにより、ＣＰＵ４０１にて原稿の厚みを検出する。検出された厚みが一定量の厚み以上（つまりは薄紙等で無い場合）である場合はそのまま分離された原稿を搬送し原稿読み取り位置にてシェーディングデータを取得する。
【００２６】
図３（b）は薄紙時の重送原稿搬送を示した図である。原稿搬送モータ１０５により、原稿ピックローラー１２１、および原稿分離ローラー１２２ａが駆動される。原稿積載トレイ１０１に積載された原稿１０２は、原稿ピックローラー１２１により原稿分離ローラー１２２ａに向かって搬送させる。搬送された原稿は原稿分離ローラー１２２ａにより下流側へ搬送される。この時、原稿分離ローラー１２２ｂは分離ローラーソレノイド１１１がＯＦＦ状態であり原稿分離ローラー１２２ｂは回転せず固定状態となる。
そのため束状である原稿１０２を分離可能となり１枚ずつ原稿を搬送することが可能である。
【００２７】
この時、搬送された原稿は原稿厚検知センサ１１２の位置にて原稿の厚みを検出する。原稿厚検知センサ１１２は、前述したように透過型の光学センサの透過率にてＣＰＵ４０１が原稿の厚みを検出判断する。検出された厚みが一定量の厚み以下（薄紙など）である場合、分離ローラーソレノイド１１１がＯＮ状態となり原稿分離ローラー１２２ｂを回転駆動させる。原稿分離ローラー１２２ａ、１２２ｂが共に原稿を搬送状態とするため原稿束を分離せず重送状態で搬送し、原稿読み取り位置にてシェーディングデータを取得する。
【００２８】
次に本発明の特徴であるシェーディングデータ取得時の動作について図４のフローチャートを用いて説明する。
【００２９】
ＣＰＵ４０１は原稿読み取り開始信号を検出し（Ｓ６０１）、シェーディングデータの取得開始指示を検出した場合（Ｓ６０２）、ＣＰＵ４０１はシェーディングデータ算出するかを判断する（Ｓ６０３）。シェーディングデータ算出する場合（Ｓ６０３）、原稿搬送モータ１０５を駆動し原稿トレイ上１０１に載置された原稿１０２の搬送を開始する（Ｓ６０４）。
【００３０】
次にＬＥＤ光源２０１、２０２、およびＣＩＳラインセンサ２０３を駆動し、シェーディング補正回路４０４をスルー転送モードとして原稿読み取りを開始する。（Ｓ６０５）
原稿厚検知センサ１１２の結果、ＣＰＵ４０１が原稿厚みを一定量以上であると判断した場合（Ｓ６０６）、原稿によるシェーディングデータの算出を行う（Ｓ６０８）。
【００３１】
原稿厚検知センサ１１２の結果、ＣＰＵ４０１が原稿厚みを一定量以上でないと判断した場合（Ｓ６０６）、原稿が薄紙などの場合は分離ローラソレノイド１１１を駆動させ分離ローラー１２２ａ、１２２ｂ共に駆動させることにより原稿分離をせず重送状態で原稿搬送を行う（Ｓ６０７）。原稿搬送し、再度原稿厚検知センサ１１２にて検知し、ＣＰＵ４０１が原稿厚みを一定量以上であると判断した場合（Ｓ６０６）、原稿によるシェーディングデータの算出を行う（Ｓ６０８）。
【００３２】
また、シェーディングデータの取得開始指示を検出し（Ｓ６０２）、ＣＰＵ４０１はシェーディングデータ算出しない場合（Ｓ６０３）、分離ローラソレノイド１１１は駆動せず分離ローラー１２２ａのみ駆動させることにより原稿分離を行い１枚ずつ原稿搬送を行う（Ｓ６０９）。
【００３３】
通常の読み取り動作を行い（Ｓ６１０）、原稿が無くなるまで読取動作を実施し（Ｓ６１１）、原稿無しになると動作を終了させる。
【００３４】
これにより、シェーディングデータ生成時に使用する原稿について、薄紙などの原稿の場合、重送搬送させシェーディングデータ取得することで
使用する原稿の種類にとらわれない正確なシェーディング補正を行う事が可能となる。
【符号の説明】
【００３５】
１０１  原稿トレイ
１０２  原稿
１０５  原稿搬送モータ
１０６  原稿読み取りユニット
１０７  原稿読み取り位置
１０８  排紙トレイ
１１１  分離ローラーソレノイド
１１２  原稿厚検知センサ
１２１  原稿ピックローラー
１２２ａ  原稿分離ローラー
１２２ｂ  原稿分離ローラー
１２３  原稿搬送ローラー
１２４  原稿排紙ローラ
２０１  ＬＥＤ光源
２０２  ＬＥＤ光源
２０３  ＣＩＳラインセンサ
２０４  ミラー
４０１  ＣＰＵ
４０２  バックアップＲＡＭ
４０３  Ａ／Ｄ変換回路
４０４  シェーディング補正回路
４０５  計算用一時ＳＲＡＭ
【図１】
2018152698.tif 000003
【図２】
2018152698.tif 000004
【図３】
2018152698.tif 000005
【図４】
2018152698.tif 000006